(57)【特許請求の範囲】
【請求項１】
保管庫に取り付けられた錠前タイマを有する錠前と、前記錠前を解錠するために複数の使用者により共通に使用されるもので、電池と制御部とキータイマとメモリとを有し前記錠前を開閉した履歴を前記メモリに記憶するデジタルキーと、前記デジタルキーを集中して保管管理するためのもので、前記履歴を前記メモリから読み取る読取手段とキーボックスタイマと個人認証手段を有するデジタルキーボックスと、を備えるデジタルキーシステムにおいて、
前記デジタルキーが前記デジタルキーボックスに保管管理されたとき、前記キータイマの時刻が、前記キーボックスタイマの時刻に書き換えられること、
前記電池は充電式電池であること、
前記デジタルキーは前記デジタルキーボックスに保管管理されているとき、前記充電式電池が充電されること、
前記デジタルキーボックスは、前記充電式電池の充電量が多い前記デジタルキーを選別する充電選別機能を有すること、
前記デジタルキーボックスは、充電が満タンになる前の状態においても、充電量が多い前記デジタルキーに対して使用許可を出すことができること、
を特徴とするデジタルキーシステム。
【発明の詳細な説明】
【技術分野】
【０００１】
本発明は、保管庫に取り付けられた錠前タイマを有する錠前と、錠前を解錠するために複数の使用者により共通に使用されるもので、電池と制御部とキータイマとメモリとを有し錠前を開閉した履歴をメモリに記憶するデジタルキーと、デジタルキーを集中して保管管理するためのもので、履歴をメモリから読み取る読取手段とキーボックスタイマと個人認証手段を有するデジタルキーボックスと、を備えるデジタルキーシステムに関する。
【背景技術】
【０００２】
従来、この種の技術として、本出願人が出願した下記の特許文献１に記載されるデジタルキーボックスがある。
特許文献１に示すデジタルキーボックスは、複数のデジタルキーを集中管理するものである。デジタルキーは、ＩＣタグを備え、ＩＣタグが使用者の使用者識別情報と、保管庫のうち使用者が解錠許可を有している保管庫を特定する扉特定データとを記憶している。  デジタルキーボックスが、装着されたデジタルキーの着脱をロック手段で制限しており、デジタルキーボックスの制御装置が特定の使用者を認証した場合に、デジタルキーを取り出すことができる。デジタルキーを取出した使用者は、保管庫等を使用し、また使用者を認証しデジタルキーボックスにデジタルキーを返却する。
【０００３】
使用者がデジタルキーをデジタルキーボックスに返却したとき、デジタルキーボックスのデータ読取手段は、デジタルキーのＩＤを読み取り、個人認証した特定の個人に対応する正しいデジタルキーが返却されたことを確認し、返却時間を履歴記憶部に記憶する。次にコントローラのＩＣタグデータ読取手段によりデジタルキーのＩＣタグから読み取った使用履歴が、履歴記憶部に記憶される。
したがって、特許文献１に記載されるデジタルキーボックスを使用することにより、デジタルキーについて、取出された日時、返却されて日時、保管庫での使用履歴を記憶することができる。それにより、後で保管庫内の書類等の紛失トラブルが発生した時に、使用履歴をチェックすることで、責任の所在を追及することができる。
【先行技術文献】
【特許文献】
【０００４】
【特許文献１】特開２０１０−９５９１３号公報
【発明の概要】
【発明が解決しようとする課題】
【０００５】
しかしながら、従来技術には、以下の問題があった。
すなわち、デジタルキーは、自らが時計を持っていないため、保管庫を解錠したときの保管庫の有する時計の時刻が使用履歴として登録される。したがって、使用履歴の時刻は保管庫が有する時計が基準の時間となる。
しかし、保管庫の時刻は、修正がなされないため時間が狂うことがある。すなわち、保管庫は、時計を有するが、電池式により時計の時刻が合わされている。そのため、電池式であるため、電池の残量の減少等の理由により時間がずれる場合がある。使用履歴の時刻の基準となる保管庫の時刻が狂うと、例えば、保管庫を解錠した時刻と、デジタルキーをデジタルキーボックスに返す時刻とが逆転してしまう事態も生じる。このような事態が生じると、保管庫が何者かにより開かれ、内部の保管物が逸失したような場合に問題となる。すなわち、保管庫が開かれた時間を調べ、その前後の使用者に確認し、責任の所在を明らかにするときにおいて、時刻が逆転してしまうと、使用者が使用していた事実を認定することができないため、責任を明らかにすることが困難となるからである。
【０００６】
そこで、本発明は、上記問題点を解決するためになされたものであり、その目的は保管庫の時間を調整し、使用者の保管庫の使用時刻を明確にし、責任の所在を明らかにすることができるデジタルキーシステムを提供することを目的とする。
【課題を解決するための手段】
【０００７】
上記目的を達成するために、本発明の一態様におけるデジタルキーシステムは、以下の構成を有する。
（１）保管庫に取り付けられた錠前タイマを有する錠前と、前記錠前を解錠するために複数の使用者により共通に使用されるもので、電池と制御部とキータイマとメモリとを有し前記錠前を開閉した履歴を前記メモリに記憶するデジタルキーと、前記デジタルキーを集中して保管管理するためのもので、前記履歴を前記メモリから読み取る読取手段とキーボックスタイマと個人認証手段を有するデジタルキーボックスと、を備えるデジタルキーシステムにおいて、前記デジタルキーが前記デジタルキーボックスに保管管理されたとき、前記キータイマの時刻が、前記キーボックスタイマの時刻に書き換えられること、を特徴とするものである。
（２）（１）に記載するデジタルキーシステムにおいて、前記デジタルキーを前記錠前に挿入したとき、前記錠前タイマの時刻が前記キータイマの時刻に書き換えられること、を特徴とするものである。
（３）（１）又は（２）に記載するデジタルキーシステムにおいて、前記電池は充電式電池であること、前記デジタルキーは前記デジタルキーボックスに保管管理されているとき、前記充電式電池が充電されること、を特徴とするものである。
（４）（３）に記載するデジタルキーシステムにおいて、前記デジタルキーボックスは、前記充電式電池の充電量が多い前記デジタルキーを選別する充電選別機能を有すること、前記デジタルキーボックスは、充電量が多い前記デジタルキーに対して使用許可を出すことができること、を特徴とするものである。
【発明の効果】
【０００８】
上記デジタルキーシステムの作用及び効果について説明する。
（１）保管庫に取り付けられた錠前タイマを有する錠前と、錠前を解錠するために複数の使用者により共通に使用されるもので、電池と制御部とキータイマとメモリとを有し錠前を開閉した履歴をメモリに記憶するデジタルキーと、デジタルキーを集中して保管管理するためのもので、履歴を前記メモリから読み取る読取手段とキーボックスタイマと個人認証手段を有するデジタルキーボックスと、を備えるデジタルキーシステムにおいて、デジタルキーがデジタルキーボックスに保管管理されたとき、キータイマの時刻が、キーボックスタイマの時刻に書き換えられることにより、デジタルキーが持つキータイマの時刻を正確にすることができる。
デジタルキーボックスは、固定された備品であり、常設的にインターネットに接続しているため、従来の電池により時刻を計るデジタルキーボックスの時計と異なりキーボックスタイマの時刻が遅れることがない。他方で、デジタルキーは電池式であるため、キータイマの時刻が遅れることがある。しかし、キータイマの時刻がキーボックスに保管されるたびに常に正確なキーボックスタイマに書き換えられることにより、キータイマの時刻を正確な時刻として保つことができる。それにより、キータイマの時刻が正確になり、デジタルキーの使用した時刻が正確に記憶されるため使用履歴が正確になる。したがって、保管庫が何者かにより開かれ、内部の保管物が逸失したような場合の問題が生じた場合の使用者の責任の所在を追及することができる。
また、デジタルキーが有する錠前が解錠された履歴についてデジタルキーボックスが読み取ることにより、錠前が権限を有さないデジタルキーにより解錠された場合や、錠前が破壊されることにより解錠された場合などのイレギュラーな状態を把握することができる。
（２）デジタルキーを錠前に挿入したとき、錠前タイマの時刻がキータイマの時刻に書き換えられることにより、錠前が持つ錠前タイマの時刻をデジタルキーボックスのキーボックスタイマの正確な時刻にすることができる。
デジタルキーのキータイマは、上記キーボックスタイマにより時刻が正確に保持されている。他方、錠前は電池式であるため、錠前に備えられる錠前タイマの時刻が遅れることがある。錠前タイマの時刻をデジタルキーが挿入されるたびに常に正確なキータイマの時刻に書き換えられることにより、錠前タイマの時刻を正確な時刻として保つことができる。それにより、錠前を解錠した使用履歴を正確になるため、保管庫が何者かにより開かれ、内部の保管物が逸失したような場合の問題が生じた場合の責任の所在を追及することができる。
（３）電池は充電式電池であること、デジタルキーはデジタルキーボックスに保管管理されているとき、充電式電池が充電される。それにより、キータイマの時刻が電池残量の減少により遅れることがない。
したがって、キータイマの時刻が遅れることなく正確な時刻を保つことができるため、デジタルキーの使用履歴が正確になるため、問題が生じた場合の責任の所在を追及することができる。
また、充電式電池であることにより、電池の交換頻度が少なくなる。
（４）デジタルキーボックスは、充電式電池の充電量が多いデジタルキーを選別する充電選別機能を有すること、デジタルキーボックスは、充電量が多いデジタルキーに対して使用許可を出すことができることにより、充電量の多いデジタルキーを常に使用することができる。そのため、キータイマの時刻が遅れることなく正確な時刻を保つことができる。正確な時刻を保つことにより、デジタルキーの使用履歴が正確になるため問題が生じた場合の責任の所在を追及することができる。
また、充電式電池の充電量が多いデジタルキーを選別して使用しているため、充電が満タンになる前の状態で充電式電池を頻繁に使用することがなくなるため、充電式電池の電池寿命が長くなり、電池の交換頻度が少なくなる。
【図面の簡単な説明】
【０００９】
【図１】本発明に係るデジタルキーボックス１０の開閉扉１１が開いた状態の正面図である。
【図２】本発明に係るデジタルキーボックス１０のコントローラ２０の構成のブロック図である。
【図３】本発明に係るデジタルキー１の正面図である。
【図４】本発明に係るデジタルキー１のＩＣタグ７の構成のブロック図である。
【図５】本発明に係る保管庫５１の扉５４が開いた状態の外観斜視図である。
【図６】本発明に係る保管庫５１の扉５４が閉じた状態の外観斜視図である。
【図７】本発明に係る保管庫５１の制御装置５７の構成のブロック図である。
【図８】本発明に係るデジタルキーボックス１０の制御プログラムをフローチャートで示す。
【図９】本発明に係る保管庫５１の制御プログラムをフローチャートで示す。
【発明を実施するための形態】
【００１０】
次に、本発明に係るデジタルキーシステムの一実施の形態について図面を参照して説明する。
デジタルキーシステムは、デジタルキーボックス３０、デジタルキー１、及び保管庫５０を有する。以下、それぞれについて詳細に説明を行う。
【００１１】
＜デジタルキーボックスの構成＞
デジタルキーボックスの全体構成について説明する。図１にデジタルキーボックス１０の開閉扉１１が開いた正面図を示す。
デジタルキーボックス１０は、保管庫５１の扉５４を解錠するために使用されるデジタルキー１を集中して保管管理するためのものである。デジタルキーボックス１０は、開閉扉１１が付設され、通常、開閉扉１１は閉じられている。
デジタルキーボックス１０の開閉扉１１の内側には、１０個のデジタルキー１（図３参照）を保持するキー孔ユニット１８（１８Ａから１８Ｊまで）が付設されている。本実施形態においては、１０個のデジタルキー１を保持するものであるが、デジタルキーの保管できる数を増やすことができる。
デジタルキーボックスの開閉扉１１の右側の表面には、ＩＣカード読取部１２、指紋認証装置１３、液晶表示部１４が付設されている。キー孔ユニット１８は、デジタルキー１が装着されるキー孔１５、ＬＥＤ１３、ネームプレート１７を有している。キー孔１５には、キー抜け阻止手段であるロック手段３１（図２参照）により、通常デジタルキー１を抜くことができない状態となっている。
【００１２】
次に、デジタルキーボックス１０のコントローラ２０について説明する。図２にコントローラ２０の構成をブロック図で示す。
コントローラ２０は、ＣＰＵ２１、ＲＯＭ２２、有効時間データ設定部２３、履歴記憶部２４、履歴読取手段２５、キーボックスタイマ２６、個人認証手段２７、充電選別機能３６を備えている。ＲＯＭ２２は、制御プログラム２８、デジタルキーＩＤ記憶部２９、アクセス権記憶部３０を備えている。
コントローラ２０には、各キー孔ユニット１８に対応して付設されているデジタルキー１をロックして抜けないようにするロック手段３１Ａ〜３１Ｊ、デジタルキー１が装着されたときに、デジタルキー１に内蔵されたＩＣタグ７に記憶されているデータを読み取るためのＩＣタグデータ読取手段３２Ａ〜３２Ｊ、有効時間データをデジタルキー１に書き込むための有効時間データ書込手段３５Ａ〜３５Ｊ、使用者を識別するための個人ＩＤ番号や使用者が解錠許可を有している保管庫の扉を特定する扉特定データなどのデータをデジタルキー１に書き込む保管庫データ書込手段３３〜３３Ｊ、ＬＥＤ３４Ａ〜３４Ｊが接続されている。
また、コントローラ２０には、液晶表示部１４、指紋認証装置１３、ＩＣカード読取部１２が接続されている。
【００１３】
＜デジタルキーの構成＞
デジタルキーの構成について説明する。図３は、デジタルキー１を示す図である。
デジタルキー１は、ＩＣタグ７を備える。ＩＣタグ７には、第１端子５と第２端子４が接続している。ＩＣタグ７は、絶縁カバー２で覆われている。
第２端子４は、デジタルキーボックス１０のキー孔１５や保管庫５１の錠前５６の錠前キー孔５６１に差し込み可能な形状で、絶縁カバー２から外部へ突き出すように設けられている。第２端子４は、ロック手段３１（図２）が係合する凹部４ｄを備える。
第１端子５は、板状をなし、第２端子４に対して直交するように配置され、絶縁カバー２の外部において第２端子４の両側に露出している。本実施形態においては、２つの端子で情報と電源を配線するが、４つの端子であってもよい。
デジタルキー１は、充電可能な充電式電池８を備える。充電式電池８は、第２端子４がキー孔１５に挿入されると充電される。
デジタルキー１には、ＬＥＤ３が視認可能に設けられている。
【００１４】
次に、デジタルキー１のＩＣタグ７について説明する。図４にＩＣタグ７の構成をブロック図で示す。
ＩＣタグ７は、データを加工・演算するＣＰＵ４０、ＲＯＭ４１、履歴記憶メモリ４２、履歴読取手段４３、キータイマ４４を備えている。ＲＯＭ４１は、制御プログラム４５、アクセス権記憶部４６、使用者記憶部４７を備えている。
また、ＩＣタグ７には、充電式電池８が接続されている。
【００１５】
＜保管庫の構成＞
保管庫の構成について説明する。図５は、保管庫５１の外観斜視図であって、扉５４を開いた状態を示す。図６は、図５に示す保管庫５１の外観斜視図であって、扉５４を閉じた状態を示す。
図５及び図６に示すように、保管庫５１は、２個の収納ボックス５２を積み上げて固定したものである。保管庫５１は、同一構造の収納ボックス５２，５２を使用するが、引き出し式など別構造の収納ボックスを使用していても良い。
【００１６】
図５に示すように、収納ボックス５２は、一方に開口する箱状に形成した本体５３を備える。本体５３の開口部は、観音開き式の扉５４，５４によって開閉される。各収納ボックス５２は、デジタル錠５５が扉５４に取り付けられ、デジタル錠５５が解錠されているときに開閉が許可される。各収納ボックス５２の本体５３には、複数の棚５８が水平に架設されている。各棚５８には第１保管庫用ユニット５９や第２保管庫用ユニット６０がそれぞれ並べて配置されている。本実施形態においては、棚５８に第１保管庫用ユニット５９や第２保管庫用ユニット６０を設置しているが、設置せずに棚５８を通常通りの棚として使用することもできる。
図６に示すように、保管庫５１は、収納ボックス５２に、デジタルキー１を挿入する保管庫キー孔５６１を有するデジタル錠前５６が取り付けられている。デジタル錠前５６と各収納ボックス５２のデジタル錠５５は、制御装置５７に接続されている。
【００１７】
次に、保管庫５１の制御装置５７について説明する。図７に制御装置５７の構成をブロック図で示す。
制御装置５７は、ＣＰＵ６１、ＲＯＭ６２、履歴記憶部６３、及び錠前タイマ６４を備えている。ＲＯＭ６２は、制御プログラム６５、デジタルキーＩＤ記憶部６６、アクセス権記憶部６７を備えている。
制御装置５７には、デジタル錠５５、及びデジタル錠前５６が接続されている。
デジタル錠前５６は、保管庫キー孔５６１、及びロック手段５６２を備える。ロック手段５６２は、保管庫キー孔５６２にデジタルキー１が挿入された場合に、挿入されたデジタルキー１がアクセス権を有する場合にのみロックを解除し、デジタルキー１を回転可能な状態とする。ロックは電子制御により行われる。
【００１８】
＜デジタルキーシステムの使用形態＞
次に、実施例のデジタルキーシステムの使用形態について説明する。
(デジタルキーボックスからデジタルキーを取出す工程)
図８に、デジタルキーボックス１０の制御プログラムをフローチャートで示す。
使用者は、デジタルキーボックス１０の所に行き、所持しているＩＣカードをＩＣカード読取部１２に読み取らせる（Ｓ３０；ＹＥＳ）。そして、使用者は指紋認証装置１３に指を触れさせ指紋を認証する(Ｓ３１)。コントローラ２０のデジタルキーＩＤ記憶部２９は、ＩＣカード読取部１２が読み取ったＩＣカードと対応する指紋を記憶しており、入力された指紋を照合する（Ｓ３２）。そして、正しい指紋が入力されたときのみ(Ｓ３２；ＹＥＳ)、開閉扉１１を開放する。本実施例では、指紋認証装置１３を用いているが、静脈認証装置、テンキー操作装置等により個人認証を行っても良い。個人認証を行うのは、他人のＩＣカードを使用して不正行為が行われるのを防止するためである。
【００１９】
Ｓ３３の後、２つのルートに分かれて制御される。コントローラ２０が、使用者が現在デジタルキー１を借りていないと判断した場合には（Ｓ３３；ＮＯ）、Ｓ３４へ進む。一方、コントローラ２０が、使用者が現在デジタルキー１を借りていると判断した場合には（Ｓ３３；ＹＥＳ）、Ｓ４２へ進む。
先に、使用者が現在デジタルキー１を借りていない場合（Ｓ３３；ＮＯ）について説明する。
この場合には、液晶表示部１４に、使用者が必要とする保管庫５１の番号を入力させる（Ｓ３４）。この場合に、液晶表示部１４の特性を生かして、図示表示等を行い、使用者が容易に保管庫の番号を特定できるようにするとよい。
使用者が保管庫の番号を入力すると（Ｓ３４）、番号入力が完了したか否か、液晶表示部１４に表示を行い確認する（Ｓ３５）。使用者は、複数の保管庫を解錠したい場合には、全ての保管庫の番号を入力する（Ｓ３４，Ｓ３５）。
【００２０】
コントローラ２０は、入力された保管庫の番号を、保管庫を解錠して保管物にアクセスできるアクセス権を使用者毎に記憶するアクセス権記憶部３０に照合し、個人認証に成功した使用者が入力した番号の保管庫全てにアクセス可能であるならば、保管庫データ書込手段３３により入力された保管庫の番号を扉特定データとして、デジタルキーボックス１０に現在収納されている図４に示すデジタルキー１のＩＣタグ７のアクセス権記憶部４６に書き込む（Ｓ３６）。
デジタルキー１のＩＣタグ１３のアクセス権記憶部４６に書き込みを行う際には、図４に示す充電式電池８の充電量が多いデジタルキー１を充電選別機能３６により選別する(Ｓ３７)。選別されたデジタルキー１のＩＣタグ７のアクセス権記憶部４６に対して、書き込みを行う。充電選別機能３６により、充電量が多いデジタルキー１を使用することができるため、キータイマ４４の時刻が遅れることなく正確な時刻を保つことができる。そのためデジタルキー１の充電式電池８の電池残量が少ないことによりキータイマ４４の時刻が遅れることがないため、デジタルキー１の使用履歴を正確な時刻で記録することができ使用者の責任の所在を追及することができる。
また、充電式電池８の充電量が多いデジタルキー１を選別して使用しているため、充電が満タンになる前の状態で充電式電池８を頻繁に使用することがない。そのため、充電式電池８の電池寿命が長くなり、電池の交換頻度が少なくなる。
【００２１】
同時に、ＩＣタグ７に、有効時間データ設定部２３が設定した有効時間データと、使用者を識別するための個人のＩＤ番号（使用者識別情報の一例）を書き込む（Ｓ３６）。これにより、共通のデジタルキー１が、当該使用者専用の鍵となる。もし、当該使用者がアクセス権を有しない保管庫の番号が入力されているときは、その旨、液晶表示部１４に表示する。
次に、コントローラ２０は、開閉扉１１を開放すると同時に、データを書き込んだ任意のデジタルキー１が装着されているキー孔ユニット１８のロック手段３１を解除する（Ｓ３８）。ロック手段３１は、デジタルキー１の凹部４ｄを利用して、図示しないロック部材をソレノイドで駆動させて係合・解除を行っている。また、解除したキー孔ユニット１８のＬＥＤ３４を点灯する（Ｓ３８）。使用者は、ＬＥＤ３４の点灯により、専用鍵となったデジタルキー１を簡単に抜き取ることができる。コントローラ２０は、ＩＣタグデータ読取手段３２がデジタルキー１を検出しなくなったときに、デジタルキー１がキー孔１５から抜き取られたと判断して（Ｓ３９；ＹＥＳ）、認証した個人、取り出されたデジタルキー１、取り出された時間を履歴記憶部２４に記憶する（Ｓ４０）。その後、開閉扉１１を閉じることを液晶表示部１４に表示して指示する（Ｓ４１）。開閉扉１１が閉じられたことを確認して（Ｓ４２；ＹＥＳ）、Ｓ３０へ戻る。
本デジタルキーボックス１０では、デジタルキー１を直接、キー孔１５に装着させているので、キー孔ユニット１８に付設されたＩＣタグデータ読取手段３２により、装着されたデジタルキー１のＩＣタグデータを読み取って、デジタルキー１が正規の鍵であるか否かを確実に管理することができる。
【００２２】
(デジタルキーにより保管庫を使用する工程)
図９に、保管庫５１の制御プログラムをフローチャートで示す。
取出されたデジタルキー１を保持して、アクセス権を有する保管庫１の所に行く。保管庫１のデジタル錠前５６の保管庫キー孔５６１に、デジタルキー１を挿入する(Ｔ４１；ＹＥＳ)。デジタルキー１には、保管庫１に対するアクセスする権利であるアクセス権がアクセス権記憶部４６に記憶されている。そのため、アクセス権があることをアクセス権記憶部６７で照会し、確認をする(Ｔ４２)。アクセス権が確認されると（Ｔ４２；ＹＥＳ）、ロック手段５６２は、ロックを解除し、デジタルキー１を回転可能な状態とする。
【００２３】
アクセス権が確認された後に（Ｔ４２；ＹＥＳ）、デジタルキーボックス１０のキーボックスタイマ２６の時間、及びデジタルキー１のキータイマ４４の時間と、保管庫１の錠前タイマ６４の時間を合わせるために、錠前タイマ６４の時間を、キータイマ４４の時間に書き換える(Ｔ４３)。
錠前タイマ６４の時刻を書き換えることにより、錠前タイマ６４の時刻をキーボックスタイマ２６の時刻にすることができる。錠前タイマ６４の時刻を書き換えることにより、キーボックスタイマ２６、キータイマ４４、及び錠前タイマ６４の時刻が全て統一されるため、保管庫５１の錠前５６が開けられた時刻を確実に認識することができる。錠前５６が開けられた時刻を確実に認識することができることで、錠前５６が解錠され、その間に保管庫５１内の保管物等が盗難された等の問題があった場合において、その時刻に保管庫１を使用していた使用者を特定することができるため、使用者の責任の所在を追及することができる。
また、従来錠前５６は電池式であったため、電池残量が少なくなることにより錠前タイマ６４の時刻が遅れることがあった。しかし、本実施形態のように錠前タイマ６４の時刻がデジタルキー１に挿入されるたびに常にキーボックスタイマ２６と同じ時刻のキータイマ４４の時刻に書き換えられることにより、錠前タイマ６４の時刻を正確な時刻として保つことができる。
【００２４】
デジタルキー１のアクセス権があることが確認でき(Ｔ４２；ＹＥＳ)、錠前タイマ６４の時刻の書き換え後(Ｔ４３)、デジタルキー１を錠前５６の保管庫キー孔５６１に対して回転させることで、デジタル錠５５のロックが解除される(Ｔ４４)。デジタル錠５５を解錠した解錠時間、及びデジタルキー１を使用する使用者のＩＤ情報を錠前５７の履歴記憶部６３に記憶する。デジタル錠５５が解錠されることにより(Ｔ４４)、扉５４を開くことができる(Ｔ４６)。扉５４が開いた後に、使用者は、保管庫５１に内部に収納された保管物にアクセスすることができる。保管物にアクセスした後に、使用者は扉５４を閉める(Ｔ４７)。使用者は、デジタルキー１を、保管庫キー孔５６１に対して最初の位置に戻るように回転させることで、デジタル錠５５が施錠される(Ｔ４８)。デジタルキー１が回転され最初の位置に戻り、デジタル錠５５が施錠され、ロック手段５６２が錠前５６をロックしたときに、デジタル錠５５を施錠した解錠時間、及びデジタルキー１を使用する使用者のＩＤ情報を錠前５７の履歴記憶部６３に記憶する(Ｔ４９)。
さらに、今回解錠・施錠した履歴以外の過去分の解錠・施錠時間、使用者ＩＤを記憶する（Ｔ５０）。過去分の履歴を記憶することにより、過去に保管庫が何者かにより開かれ、内部の保管物が逸失したような場合の問題を把握することができる。
その後デジタルキー１を保管庫キー孔５６１から抜出ことにより(Ｔ５１；ＹＥＳ)、デジタルキー１により保管庫５１を使用する工程は終了する。
【００２５】
(デジタルキーボックスへデジタルキーを戻す工程)
次に、図８に示す、デジタルキーボックス１０へデジタルキー１を戻す工程（Ｓ３３；ＹＥＳ）について説明する。
この場合には、コントローラ２０は、開閉扉１１を開放すると同時に、デジタルキー１が装着されていないキー孔ユニット１８のロック手段３１を解除状態とする（Ｓ４３）。
使用者は、デジタルキー１が装着されていない任意のキー孔１５に、デジタルキー１を返却する（Ｓ４４）。デジタルキー１がデジタルキーボックス１０に返却されたときに、ＩＣタグデータ読取手段３２は、デジタルキー１のデジタルキーＩＤを読み取り、個人認証した特定の個人が借りていたデジタルキー１が返却されたことを確認し（Ｓ４５；ＹＥＳ）、返却時間を履歴記憶部２４に記憶する（Ｓ４６）。次に、コントローラ２０のＩＣタグデータ読取手段３２がデジタルキー１から読み取った使用履歴データが、履歴記憶部２４に、個人用デジタルキー１の使用履歴として記憶される（Ｓ４７）。
【００２６】
これにより、履歴記憶部２４は、各デジタルキー１について、デジタルキーボックス１０から取り出された日時、返却された日時、保管庫での使用履歴を全て記憶する。
後で、保管庫内の保管物の紛失等のトラブルが発生したときに、使用履歴をチェックすることにより、責任の所在を追及することができる。また、全ての過去分の履歴を管理していることを使用者に知らせることにより、使用者がデジタルキーボックス１０からデジタルキー１を取り出した後、すばやく保管庫の利用を行うことが期待できるため、デジタルキー１が机の上に長時間置きっぱなしになるような事態を回避することができる。
【００２７】
その後、キーボックスタイマ２６の時間をキータイマ４４の時間に書き換える（Ｓ４８）。デジタルキー１がデジタルキーボックス１０に保管管理されたとき、キータイマ４４の時刻が、キーボックスタイマ２６の時刻に書き換えられることにより、デジタルキー１が持つキータイマ４４の時刻を正確にすることができる。
デジタルキーボックス１０は、固定された備品であり、常設的にインターネットに接続しているため、従来の電池により時刻を計るデジタルキーボックスの時計と異なりキーボックスタイマ２６の時刻が遅れることがない。他方で、デジタルキー１は電池式であるため、キータイマ４４の時刻が遅れることがある。しかし、キータイマ４４の時刻がデジタルキーボックス１０に保管されるたびに常に正確なキーボックスタイマ２６に書き換えられることにより、キータイマ４４の時刻を正確な時刻として保つことができる。それにより、キータイマ４４の時刻が正確になり、デジタルキー１の使用した時刻が正確に記憶されるため使用履歴が正確になる。したがって、保管庫５１が何者かにより開かれ、内部の保管物が逸失したような場合の問題が生じた場合の使用者の責任の所在を追及することができる。
【００２８】
その後、返却されたデジタルキー１の充電式電池８を充電する（Ｓ４９）。デジタルキー１がデジタルキーボックス１０に保管管理されているとき、充電式電池８が充電されることにより、キータイマ４４の時刻が電池残量の減少により遅れることがない。
したがって、キータイマ４４の時刻が遅れることなく正確な時刻を保つことができるため、デジタルキー４４の使用履歴が正確になるため、問題が生じた場合の責任の所在を追及することができる。
また、充電式電池であることにより、電池の交換頻度が少なくなる。
充電式電池８を充電開始後、開閉扉１１を閉じることを液晶表示部１４に表示して指示する（Ｓ４１）。
開閉扉１１が閉じられたことを確認して（Ｓ４２；ＹＥＳ）、Ｓ３０へ戻る。
【００２９】
以上、本実施形態においては以下の作用効果を有する。
保管庫５１に取り付けられた錠前タイマ６４を有するデジタル錠前５６と、デジタル錠前５６を解錠するために複数の使用者により共通に使用されるキータイマ４４と履歴記憶メモリ４２とを有しデジタル錠前５６を開閉した履歴を履歴メモリ４２に記憶するデジタルキー１と、デジタルキー１を集中して保管管理するためのもので、履歴を履歴メモリ４２から読み取る履歴読取手段２４とキーボックスタイマ２６と個人認証手段２７を有するデジタルキーボックス１０と、を備えるデジタルキーシステムにおいて、デジタルキー１がデジタルキーボックス１０に保管管理されたとき、キータイマ４４の時刻が、キーボックスタイマ２６の時刻に書き換えられることにより、デジタルキー１が持つキータイマ４４の時刻を正確にすることができる。
デジタルキーボックス１０は、固定された備品であり、常設的にインターネットに接続しているため、従来の電池により時刻を計るデジタルキーボックスの時計と異なりキーボックスタイマ２６の時刻が遅れることがない。他方で、デジタルキー１は電池式であるため、キータイマ４４の時刻が遅れることがある。しかし、キータイマ４４の時刻がデジタルキーボックス１０に保管されるたびに常に正確なキーボックスタイマ２６に書き換えられることにより、キータイマ４４の時刻を正確な時刻として保つことができる。それにより、キータイマ４４の時刻が正確になり、デジタルキー１の使用した時刻が正確に記憶されるため使用履歴が正確になる。したがって、保管庫５１が何者かにより開かれ、内部の保管物が逸失したような場合の問題が生じた場合の使用者の責任の所在を追及することができる。
また、デジタルキー１が有するデジタル錠前５６が解錠された履歴についてデジタルキーボックス１０が読み取ることにより、デジタル錠前５６が権限を有さないデジタルキー１により解錠された場合や、デジタル錠前５６が破壊されることにより解錠された場合などのイレギュラーな状態を把握することができる。
【００３０】
デジタルキー１をデジタル錠前５６に挿入したとき、錠前タイマ６４の時刻がキータイマ４４の時刻に書き換えられることにより、デジタル錠前５６が持つ錠前タイマ６４の時刻をデジタルキーボックス１０のキーボックスタイマ２６の正確な時刻にすることができる。
デジタルキー１のキータイマ４４は、上記キーボックスタイマ１０により時刻が正確に保持されている。他方、デジタル錠前５６は電池式であるため、デジタル錠前５６に備えられる錠前タイマ６４の時刻が遅れることがある。錠前タイマ６４の時刻をデジタルキー１が挿入されるたびに常に正確なキータイマ４４の時刻に書き換えられることにより、錠前タイマ６４の時刻を正確な時刻として保つことができる。それにより、デジタル錠前５６を解錠した使用履歴が正確になるため、保管庫５１が何者かにより開かれ、内部の保管物が逸失したような場合の問題が生じた場合の責任の所在を追及することができる。
【００３１】
電池は充電式電池８であること、デジタルキー１はデジタルキーボックス１０に保管管理されているとき、充電式電池８が充電される。それにより、キータイマ４４の時刻が電池残量の減少により遅れることがない。
したがって、キータイマ４４の時刻が遅れることなく正確な時刻を保つことができるため、デジタルキー１の使用履歴が正確になるため、問題が生じた場合の責任の所在を追及することができる。
また、充電式電池８であることにより、電池の交換頻度が少なくなる。
【００３２】
デジタルキーボックス１０は、充電式電池８の充電量が多いデジタルキー１を選別する充電選別機能３６を有すること、デジタルキーボックス１０は、充電量が多いデジタルキー１に対して使用許可を出すことができることにより、充電量の多いデジタルキー１を常に使用することができる。そのため、キータイマ４４の時刻が遅れることなく正確な時刻を保つことができる。正確な時刻を保つことにより、デジタルキー１の使用履歴が正確になるため問題が生じた場合の責任の所在を追及することができる。
また、充電式電池８の充電量が多いデジタルキー１を選別して使用しているため、充電が満タンになる前の状態で充電式電池８を頻繁に使用することがなくなるため、充電式電池８の電池寿命が長くなり、充電式電池８の交換頻度が少なくなる。
【００３３】
尚、本発明は、上記実施の形態に限定されることなく、発明の趣旨を逸脱することのない範囲で色々な応用が可能である。
例えば、本実施形態において、保管庫はオフィスで使用されるものとしたが、保管庫は、トラックで使われる荷台、トラックに積載される保管箱、お金を収納する金銭箱等のように、内部に保管できるものであり、内部の収納物を保護するための施錠が必要なものであれば応用することができる。
また、本実施形態において、錠前は保管庫に設置され常設されたものであるが、南京錠のように持ち運び可能であり、取り換えが可能な錠前であっても応用することができる。すなわち、上記内部の収納物を保護するため、保管庫等を施錠することができるものであれば応用することができる。
【符号の説明】
【００３４】
１      デジタルキー
２５    履歴読取手段
２６    キーボックスタイマ
２７    個人認証手段
４２    履歴記憶メモリ
４４    キータイマ
５１    保管庫
５７    錠前
６４    錠前タイマ
【図１】
0005727845.tif 000002
【図２】
0005727845.tif 000003
【図３】
0005727845.tif 000004
【図４】
0005727845.tif 000005
【図５】
0005727845.tif 000006
【図６】
0005727845.tif 000007
【図７】
0005727845.tif 000008
【図８】
0005727845.tif 000009
【図９】
0005727845.tif 000010